(57)【特許請求の範囲】
【請求項１】
本原稿の画像を読み取り、読み取りページの画像を出力し、上記本原稿のページをめくる本原稿画像の読み取り装置において、上記本原稿の読み取りのページ範囲を指示するページ範囲入力手段と、上記本原稿の全てのページの読み取りを、ページ数の入力を行うことなく指示する全ページ入力手段と、上記ページ範囲入力手段または上記全ページ入力手段を選択設定するページ入力選択手段と、上記本原稿の最終ページを検知する検知手段とを有することを特徴とする本原稿画像の読み取り装置。
【請求項２】
本原稿の画像を読み取り、読み取りページの画像を出力し、上記本原稿のページをめくる本原稿画像の読み取り装置において、上記本原稿の全てのページの読み取りを、ページ数の入力を行うことなく指示する全ページ入力手段と、上記本原稿の最終ページを検知する検知手段とを有し、上記全ページ入力手段で入力指示した時、見開いてセットした本原稿の見開きページから読み取りを開始し、上記本原稿のめくり方向の最終ページまで連続してページの読み取りを行ない、上記検知手段で上記本原稿の最終ページを検知して上記読み取りを停止することを特徴とする本原稿画像の読み取り装置。
【請求項３】
本原稿の画像を読み取り、読み取りページの画像を出力し、上記本原稿のページをめくる本原稿画像の読み取り装置において、上記本原稿の読み取りのページ範囲を指示するページ範囲入力手段と、上記本原稿の全てのページの読み取りを、ページ数の入力を行うことなく指示する全ページ入力手段と、上記ページ範囲入力手段または全ページ入力手段を選択設定するページ入力選択手段とを有し、上記ページ入力選択手段の切換えによって、上記全ページ入力手段で入力指示した時、画像をページ毎に分割して出力する独立ページモードの開始ページを右ページに指定または初期設定することを特徴とする本原稿画像の読み取り装置。
【請求項４】
本原稿の画像を読み取り、読み取りページの画像を出力し、上記本原稿のページをめくる本原稿画像の読み取り装置において、上記本原稿の全てのページの読み取りを、ページ数の入力を行うことなく指示する全ページ入力手段と、上記本原稿の最終ページを検知する検知手段とを有し、上記全ページ入力手段で入力指示した時、見開いてセットした本原稿の見開きページから読み取りを開始し、上記本原稿のめくり方向の最終ページまで連続してページの読み取りを行ない、上記検知手段で上記本原稿の最終ページを検知して読み取りの終了時、上記本原稿の取り出し動作に移行することを特徴とする本原稿画像の読み取り装置。
【請求項５】
本原稿の画像を読み取り、読み取りページの画像を出力し、上記本原稿のページをめくる本原稿画像の読み取り装置において、上記本原稿の読み取りのページ範囲を指示するページ範囲入力手段と、上記本原稿の全てのページの読み取りを、ページ数の入力を行うことなく指示する全ページ入力手段と、上記ページ範囲入力手段または全ページ入力手段を選択設定するページ入力選択手段とを有し、上記ページ入力選択手段の切換えによって、ページ入力範囲のデータを保持して読み出しすることを特徴とする本原稿画像の読み取り装置。
【請求項６】
本原稿の画像を読み取り、読み取りページの画像を出力し、上記本原稿のページをめくる本原稿画像の画像形成装置において、上記本原稿の出力のページ範囲を指示するページ範囲入力手段と、上記本原稿の全てのページの出力を、ページ数の入力を行うことなく指示する全ページ入力手段と、上記ページ範囲入力手段または上記全ページ入力手段を選択設定するページ入力選択手段と、上記本原稿の最終ページを検知する検知手段とを有することを特徴とする本原稿画像の形成装置。
【請求項７】
本原稿の画像を読み取り、読み取りページの画像を出力し、上記本原稿のページをめくる本原稿画像の画像形成装置において、上記本原稿の全てのページの出力を、ページ数の入力を行うことなく指示する全ページ入力手段を有し、上記全ページ入力手段で入力指示した時、見開いてセットした本原稿の見開きページから出力を開始し、上記本原稿のめくり方向の最終ページまで連続してページの出力を行ない、上記検知手段で上記本原稿の最終ページを検知して上記出力を停止することを特徴とする本原稿画像の形成装置。
【請求項８】
本原稿の画像を読み取り、読み取りページの画像を出力し、上記本原稿のページをめくる本原稿画像の画像形成装置において、上記本原稿の出力のページ範囲を指示するページ範囲入力手段と、上記本原稿の全てのページの出力を、ページ数の入力を行うことなく指示する全ページ入力手段と、上記ページ範囲入力手段または全ページ入力手段を選択設定するページ入力選択手段とを有し、上記ページ入力選択手段の切換えによって、上記全ページ入力手段で入力指示した時、画像をページ毎に分割して出力する独立ページモードの開始ページを右ページに指定または初期設定することを特徴とする本原稿画像の形成装置。
【請求項９】
本原稿の画像を読み取り、読み取りページの画像を出力し、上記本原稿のページをめくる本原稿画像の画像形成装置において、上記本原稿の全てのページの出力を、ページ数の入力を行うことなく指示する全ページ入力手段を有し、上記全ページ入力手段で入力指示した時、見開いてセットした本原稿の見開きページから出力を開始し、上記本原稿のめくり方向の最終ページまで連続してページの出力を行ない、上記検知手段で本原稿の最終ページを検知して出力の終了時、上記本原稿の取り出し動作に移行することを特徴とする本原稿画像の形成装置。
【請求項１０】
本原稿の画像を読み取り、読み取りページの画像を出力し、上記本原稿のページをめくる本原稿画像の画像形成装置において、上記本原稿の出力のページ範囲を指示するページ範囲入力手段と、上記本原稿の全てのページの出力を指示する全ページ入力手段と、上記ページ範囲入力手段または全ページ入力手段を選択設定するページ入力選択手段とを有し、上記ページ入力選択手段の切換えによって、ページ入力範囲のデータを保持して読み出しすることを特徴とする本原稿画像の形成装置。
【発明の詳細な説明】
【０００１】
【発明の属する技術分野】
本発明は、本原稿画像読み取り及び形成装置に関する。
【０００２】
【従来の技術】
本出願により、本原稿を画像を読み取り、読み取りページの画像を出力し、該本原稿のページをめくる本原稿画像の読み取り及び形成装置が提案されている。この装置において本原稿の一部のページを自動で複写する場合には、その本原稿の複写するページを指定する必要があり、このコピーページ設定の方法には以下の３通りの方法がある。
▲１▼本原稿の見開いた開始ページと終了ページを入力する「開始〜終了ページ」。
▲２▼コピーする総ページ数を入力する「ページ枚数」。
▲３▼コピーしないページを飛ばしコピーページ範囲を開始ページと終了ページで入力する「設定１〜３」（詳しくは後述する）。
▲１▼〜▲３▼の設定方法の何れも複写に先立ち、本原稿の画像形成のモード設定時に指定する。
【０００３】
【発明が解決しようとする課題】
ところで、前述の本原稿画像の読み取り及び形成装置において本原稿を複写する場合、広範囲のページを複写したり、１冊の本原稿の全ページを複写することが多く、特に本装置は本原稿のページめくりと複写とを自動処理できるので、本原稿を丸ごと１冊複製する用途が多い。
【０００４】
しかしながら、本装置では、本原稿の全てのページの複写を指定する手段を備えていなかった。なお、本装置において、あるページ以降の全てのページを複写したり、本原稿を丸ごと１冊複写するときには、理論上では、前記▲１▼〜▲３▼の設定方法の終了ページの入力時に、本原稿の最終ページを指定すればよいが、本原稿には、ページ数の振っていないものや、ページ数が飛んでいるものなどがあるため、実際には、本原稿の最終ページを正しく指定することは難しい。
【０００５】
従って、本装置において本原稿の全ページを丸ごと複写する場合には、前記設定方法▲１▼の本原稿の見開いた開始ページと終了ページを入力する「開始〜終了ページ」で、終了ページを最大の”９９９”など大きく設定するか、前記設定方法▲２▼のコピーする総ページ数を入力する「ページ枚数」で、総ページ数を本原稿のページ数より十分に大きな数値にしていた。
【０００６】
このため、この装置では、あるページ以降の全てのページを複写したり、本原稿を丸ごと１冊複写するときに、その複写範囲をワンタッチで指定できず、その設定に手間がかかったり、その設定方法がよく判らない、といった不具合があった。
【０００７】
【課題を解決するための手段】
本発明は、本原稿の全てのページの読み取りまたは出力を指示することのできる全ページ入力手段を設けることとしている。このように、本原稿の全てのページの読み取りまたは出力を指示することにより、本原稿の全ページを複写する際のコピーページ設定の手間や難解さの原因となる操作手順の複雑化が解消され、コピーページがワンタッチで設定されるようになる。
【０００８】
【発明の実施の形態】
本発明の本原稿画像の読み取り及び形成装置では、本原稿の読み取りまたは出力のページ範囲を指示するページ範囲入力手段と、該本原稿の全てのページの読み取りまたは出力を指示する全ページ入力手段とを設ける。
【０００９】
また、本原稿のあるページ以降の全てのページを複写したり、本原稿を丸ごと１冊複写するときには、見開いてセットした本原稿の見開きページから読み取りまたは出力を開始し、該本原稿のめくり方向の最終ページまで連続してページの読み取りまたは出力を行ない、該本原稿の最終ページを検知して上記読み取りまたは出力を停止することが、適切な複写を行なう上で効果的である。
【００１０】
また、本原稿の全てのページの読み取りまたは出力を行なう全ページ指定の時には、画像をページ毎に分割して出力する独立ページモードの開始ページを右ページに指定または初期設定することが、本原稿の左右の開始ページの設定を容易にし、また、誤操作によるミスコピーを低減させる上で効果的である。
【００１１】
また、本原稿の全てのページの読み取りまたは出力を行なう全ページ指定の時には、見開いてセットした本原稿の見開きページから読み取りまたは出力を開始し、該本原稿のめくり方向の最終ページまで連続してページの読み取りまたは出力を行ない、読み取りまたは出力の終了時、該本原稿の取り出し動作に移行することが、オペレータの操作を軽減させ、また、作業効率を向上させる上で効果的である。
【００１２】
また、本原稿の読み取りまたは出力のページ範囲を指示するページ範囲入力手段と、該本原稿の全てのページの読み取りまたは出力を指示する全ページ入力手段と、上記ページ範囲入力手段または全ページ入力手段を選択設定するページ入力選択手段とを設け、該ページ入力選択手段の切換えによって、ページ入力範囲のデータを保持して読み出しすることが、ページ入力設定方法の切換えによる煩わしいページ数の再入力の手間を省く上で好ましい。
【００１３】
【実施例】
図１に、本原稿画像形成装置における操作・表示部の全体を示す。また、図２に、従来からの本原稿画像形成装置のコピーページ設定の入力操作部を示す。
【００１４】
図１において、操作パネル９９には、取り外したクリップやステープラーの針などを置くためのクリップ置き９９−１、本原稿（以下、製本原稿という）を自動でめくってコピーするモードを設定するための製本原稿キー９９−２、コピーするページを設定するためのコピーページ設定キー９９−３、コピーしないページを飛ばしてコピーページを設定するための設定１キー９９−４ａ，設定２キー９９−４ｂ，設定３キー９９−４ｃ、製本原稿の見開き左右ページをそれぞれ独立させてコピーする独立ページモードと見開き左右ページを１枚の用紙にコピーする見開きページモードとの何れかを選択するためのコピー形式キー９９−５、このコピー形式キー９９−５により独立ページモードを指定したときにコピーし始めるページを選択するためのコピー開始ページキー９９−６、ソーターを使用して複数部のコピーを１部毎に仕分けするソートモードと複数部のコピーをページ毎に仕分けするスタックモードとの何れかを選択するためのソーターキー９９−７、両面給紙テーブルを使用して２枚のシート原稿及びページ限定時の製本原稿を１枚の用紙の両面にコピーする片面原稿モード，見開き製本原稿の左右ページを１枚の用紙の両面にコピーする左右ページモード，見開き製本原稿の表裏ページを独立させて２枚の用紙の両面にコピーまたは４頁分の見開き左右ページを１枚の用紙の両面にコピーする表裏ページモードの何れかを選択するための両面キー９９−８、装置の操作状態及びエラーメッセージなどを表示するための液晶表示部９９−９、コピー画像の綴じ部影を消去するためのセンター消去キー９９−１０、周辺部のコピー画像を消去するための枠消去キー９９−１１、コピーの画像を上向きにして排出するための表面排紙キー９９−１２、コピーの画像位置を移動させるための移動キー９９−１３、コピー形式キー９９−５により独立ページモードを指定したときに製本原稿の左ページまたは右ページだけをコピーするためのページ限定キー９９−１４、コピー画像の横倍率及び縦倍率を独立して変倍させるための独立変倍キー９９−１５、センター消去時の消去幅を変更するためのセンター消去幅変更キー９９−１６、枠消去時の消去幅を変更するための枠消去幅変更キー９９−１７、コピーの画像位置を移動させる際の移動量を変更するための移動量変更キー９９−１８、ページがめくられない場合や画像が欠けるときに製本原稿の位置をマニュアル入力するための上端キー９９−１９及び右端キー９９−２０、コピー画像の倍率をズーム変倍させるためのダウンキー９９−２１及びアップキー９９−２２、コピー画像の定形倍率を縮小及び拡大させるための縮小キー９９−２３及び拡大キー９９−２４、原稿と同じ大きさにコピーするための等倍キー９９−２５、コピーする用紙サイズを選択するための用紙キー９９−２６、製本原稿をコピーするときに手差しテーブルにセットした用紙を選択するための手差しサイズ選択キー９９−２７、原稿の種類（文字／写真，写真）を選択するための写真キー９９−２８、コピー画像の濃度を調整するためのうすくキー９９−２９，こくキー９９−３０，自動濃度キー９９−３１、装置の異常状態を表示するための異常状態表示部９９−３２、設定できるコピー枚数を超えて設定したときなどに表示される置数オーバー表示部９９−３３、コピー前はセットしたコピー枚数を表示しコピー中はコピーした枚数を表示するセット枚数／コピー枚数表示部９９−３４、よく使う設定を登録したり呼び出したりするためのプログラムキー９９−３５、コピー枚数や倍率などの数値を入力するためのテンキー９９−３６、セット枚数などの取り消し（クリア）及びコピーの停止／中止（ストップ）を指示するためのクリア／ストップキー９９−３７、設定した内容を取り消し電源を入れたときの画面に戻したり約１秒以上押し続けて余熱モードにするためのモードクリア／余熱キー９９−３８、コピー中やコピーが途中で止まったときにセットしたコピーの枚数を確認（置数確認）したり数値や指定を確定（エンター）するための置数確認／エンターキー９９−３９、シート原稿のコピー中に割り込んで別のシート原稿をコピーするための割込みキー９９−４０、コピーを開始させるためのスタートキー９９−４１、などが設けられている。
【００１５】
この装置における製本原稿のコピーするページ範囲を指定する設定方法には、▲１▼本原稿の見開いた開始ページと終了ページを入力する「開始〜終了ページ」，▲２▼コピーする総ページ数を入力する「ページ枚数」，▲３▼コピーしないページを最大で３個所飛ばしてコピーページ範囲を開始ページと終了ページで入力する「設定１〜３」、の３種類がある。
【００１６】
「開始〜終了ページ」の設定は、図２（ａ）に示すように、先ず、製本原稿キー９９−２を押して製本原稿をセットし、コピーページ設定キー９９−３で「開始〜終了ページ」を選択する（このコピーページ設定キー９９−３を押すと、「ページ枚数」→「開始〜終了ページ」の順に変わる）。次いで、コピーの開始ページ数をテンキー９９−３６で入力し、「＃」キー（エンターキー９９−３９）を押して入力した数値を確定する。ここで、「＃」キーを押す前に間違えたときは、クリアストップキー９９−３７を押し、「＃」キーを押した後はコピーページ設定手順に戻る。そして、コピーの終了ページをテンキー９９−３６で入力し、「＃」キーを押して入力した数値を確定する。
【００１７】
「ページ枚数」の設定は、図２（ｂ）に示すように、先ず、製本原稿キー９９−２を押して製本原稿をセットし、コピーページ設定キー９９−３で「ページ枚数」を選択する。そして、コピーするページ枚数をテンキー９９−３６で入力し、「＃」キーを押して入力した数値を確定する。
【００１８】
「設定１〜３」の設定は、製本原稿キー９９−２を押して製本原稿をセットした後、設定１キー９９−４ａを押す。次に、コピーの開始ページ数をテンキー９９−３６で入力し、「＃」キーを押して入力した数値を確定した後、コピーの終了ページをテンキー９９−３６で入力し、「＃」キーを押して入力した数値を確定する。次いで、設定２キー９９−４ｂを押し、上記のコピーページ範囲（開始ページと終了ページ）の指定手順を繰り返す。ここで、更に設定を追加したい場合には、設定３キー９９−４ｃを押して、上記のコピーページ範囲の指定手順を繰り返す。そして、用紙キー９９−２６で用紙を選択し、スタートキー９９−４１を押してコピーを開始する。
【００１９】
ところで、この装置において、あるページ以降の全てのページを複写したり、本原稿を丸ごと１冊複写するときには、理論上では、上記の▲１▼〜▲３▼の設定方法の終了ページの入力時に、本原稿の最終ページを指定すればよいが、本原稿には、ページ数の振っていないものや、ページ数が飛んでいるものなどがあるため、実際には、本原稿の最終ページを正しく指定することは難しい。
【００２０】
従って、この装置において本原稿の全ページを丸ごと複写する場合には、前記設定方法▲１▼の本原稿の見開いた開始ページと終了ページを入力する「開始〜終了ページ」で、終了ページを最大の”９９９”など大きく設定するか、前記設定方法▲２▼のコピーする総ページ数を入力する「ページ枚数」で、総ページ数を本原稿のページ数より十分に大きな数値にしている。
【００２１】
このため、この装置では、あるページ以降の全てのページを複写したり、本原稿を丸ごと１冊複写するときに、その複写範囲をワンタッチで指定できず、その設定に手間がかかったり、その設定方法がよく判らないといった不具合がある。
【００２２】
そこで、本発明の本原稿画像形成装置では、図３に示すように、上述のコピーページ設定の入力操作部に、本原稿の全てのページの読み取りまたは出力を指示することのできる「全ページ」入力手段を設ける。図３において、ページ設定キー９９−３を押すと、その押下毎に、「開始〜終了ページ」→「ページ枚数」→「全ページ」の順に、コピーページ設定の入力モードが切り換わり、ページ設定選択表示用のＬＥＤ９９−３ａ，９９−３ｂ，９９−３ｃが順次点灯する。また、このコピーページ設定の入力モードの切り換えにより、液晶表示部９９−９に、後述のようにページ数がガイダンスされる。
【００２３】
この画像形成装置の操作ガイド及び警告の表示は、操作表示部（液晶表示部９９−９）に配置した２０桁２行のキャラクタ表示が可能なＬＣＤパネルで行なっている。図４に、本装置のガイダンス表示を示す。
【００２４】
図４（ａ）は、製本原稿複写中の一般的な表示で、表示内容は製本原稿（下側読み取り）で、複写倍率は等倍、見開き右ページの１５ページから４８ページまでの設定で、２４ページコピー中を示している。すなわち、ガイダンス表示部左上は▲１▼読み取り選択、右上は▲２▼コピー倍率、左下は▲３▼設定ページ数、右下は▲４▼コピー中ページ数を表示している。
【００２５】
また、図４（ｂ）は、製本原稿待機中の一般的な表示で、表示内容は製本原稿（下側読み取り）で、複写倍率は等倍、見開きページモードの総ページ数４０ページが設定されている状態を示している。この表示では、コピースタート前のため、右下のコピー中ページ数は表示されない。
【００２６】
このように、一般的な製本原稿複写時には、見開き製本原稿の開始ページと終了ページ、あるいは総ページ数による画像形成ページ数を指示するページ入力を行ない、その設定内容の表示により、設定したページ数を確認、修正する。また、本装置のように、開始ページを見開いてセットする場合にも、ページ数設定後に表示を見て製本原稿を開く。設定ページ数は、動作開始前の待機時と製本原稿の読み取り終了時に表示する。また、製本原稿の読み取り時と複写時に、設定したページ数とコピー中（動作中）のページ数を表示する。
【００２７】
すなわち、この本原稿画像形成装置は、動作開始後、製本原稿の読み取り、読み取りページの画像形成、読み取り終了ページのページめくりなどの一連の動作を自動で連続的に行なうとともに、その設定ページ数と、製本原稿の読み取り中（あるいは複写中）に実行中のページ数を表示して、動作の状況と経過をオペレータに知らせる。また、ストップキー９９−３７の押下にて実行ページにより途中で動作を中断、あるいは停止させる。
【００２８】
図５は、シート原稿コピー中の一般的な表示で、表示内容はシート原稿（上側読み取り）で、等倍コピーを示している。
【００２９】
図６は、ガイダンス表示例で、表示内容は製本原稿の最終ページで装置が自動停止したことを表す。最終ページの表示は、ページ設定が「開始〜終了ページ」または「ページ枚数」で、指定したページになる前に製本原稿が終了し、めくるべきページがなくなった場合や、後述するように、「全ページ」指定によって最終ページ検知で正常に終了した場合にガイダンスされる。
【００３０】
図７は、ページ数設定表示で、製本原稿読み取りモード選択からページ数設定までを表示する。このページ数設定は、製本原稿の自動読み取りには必須で、入力選択まで優先して表示する。ここでは、コピーページ設定キー９９−３の押下により、「開始〜終了ページ」，「ページ枚数」，または「全ページ」の選択を行なう。「開始〜終了ページ」，「ページ枚数」では、ページ数がキー入力されるまで、図示のガイダンス表示が継続される。
「開始〜終了ページ」入力モードでは、図７（ａ）において、開始〜終了ページ入力中は数値部が点滅し、テンキー９９−３６で数値を入力し、エンターキー９９−３９または開始〜終了ページキーで、開始ページ数を入力確定する。そしてその後、次のガイダンスに移行し、同じくテンキー９９−３６で数値を入力し、エンターキー９９−３９で、終了ページ数を入力確定する。また、複写する総ページ数を入力する「ページ枚数」入力モードでは、ページ数の入力確定まで、図７（ｂ）に示すような表示を行ない、同じくテンキー９９−３６で数値を入力し、エンターキー９９−３９で、ページ枚数を入力確定する。
【００３１】
図８は、セットされた製本原稿の全てのページの複写を選択する「全ページ」モードの一般的な表示を示す。図８（ａ）は、コピーページ設定キー９９−３の押下による「全ページ」モードの選択時で、独立ページモードの表示である。ここでは、独立ページで全ページ指定という条件にて、コピー開始ページは右ページを初期として自動選択している。図８（ｂ）は、見開きページモードのコピー中表示で、２４６ページのコピー中を表しており、以降２ページずつ加算表示する。
【００３２】
図９は、ページ設定移行時の表示の遷移で、コピーページ設定キー９９−３の押下毎に、「開始〜終了ページ」→「ページ枚数」→「全ページ」の順に指定内容のガイダンスが変化する。「開始〜終了ページ」モードで入力確定されたページ数は、図示のように、「ページ枚数」モードでも同一ページ数”１３４頁”で設定されており、コピーページ設定キー９９−３の押下により、再度、「開始〜終了ページ」モードとなった場合も、その値が読み出される。ここで、ページ数の修正の必要がなければ、そのままのページ枚数がエンターキー９９−３９の押下で確定する。
【００３３】
図１０乃至図１３に、各モードにおける制御フローを示す。これらの制御は、後述する画像形成のモード制御を行なうメインコントローラが行ない、その指令によりＩＰＵコントローラは、画像の読み取り、データ処理、ページめくりの制御を行なう。また、シーケンスコントローラは、画像形成部の付加のタイミング制御を行なう。図１０はコピーページ設定の選択フロー、図１１はページ数設定フロー、図１２はコピー形式選択フロー、図１３は開始左右ページの設定フローである。
【００３４】
図１０に示すコピーページ設定の選択フローでは、図３に示す本装置の操作、表示部のコピーページ設定キー９９−３のキー入力により、このコピーページ設定キー９９−３の押下毎に、初期設定の「開始〜終了ページ」から、「ページ枚数」→「全ページ」へとモードが切り替わる。ここで、「全ページ」モードが選択されると、以降のテンキー９９−３６によるページ数の指定は行なわれず、「開始〜終了ページ」，「ページ枚数」の入力モードが選択された場合には、図１１に示すページ数の設定フローにより、ページ数を入力確定する。
【００３５】
図１１に示すページ数の設定フローでは、「全ページ」モード以外のモードでのページ数設定を行ない、その設定方法には以下の２つの方法があり、それを各キーの押下により選択する。第１の方法としての「開始〜終了ページ」入力は、コピー開始ページと終了ページの２つの数値を入力し、コピー開始ページから終了ページまでのページ数を演算し、差分のページのコピーを行なう。第２の方法としての「「ページ枚数」入力は、複写ページ数を直接入力する方法で、指定左右ページから指定ページ数だけコピーを繰り返す。後者は、主に、製本原稿にページ数が付いていない場合や、ページが飛んでいる場合に用いる。
【００３６】
このページ数の入力操作方法は、図４乃至図９に示したガイダンス表示に従って、前述の通りに行なう。また、このページ数入力は、製本原稿の読み取り自動ページめくりの繰り返し動作には必須のものであり、製本原稿読み取りモード時には、優先して設定されるように、第１にガイダンス表示する。
【００３７】
図１１に示すように、「開始〜終了ページ」，「ページ枚数」の入力モードで一旦確定されたページ数は、メインコントローラのメモリ内に格納され、それ以降、コピーページ設定キー９９−３の押下により、「開始〜終了ページ」から、「ページ枚数」→「全ページ」へとモードが切り替わり、再び「開始〜終了ページ」モードに戻ったときに、先に入力したページ数が読み出される。ガイダンスにはページ数が点滅表示（修正可能な状態を表す）され、修正する場合には、修正値をテンキー９９−３６で入力し、エンターキー９９−３９で確定する。また、修正せずに、そのままエンターキー９９−３９を押下すると、その値が確定される。この時のガイダンスの様子は、図９に示した通りである。
【００３８】
図１に示すコピー形式キー９９−５とその状態表示用のＬＥＤ９９−５ａ，９９−５ｂは、コピー形式モードの操作・表示を行なう。このコピー形式モードは、製本原稿読み取りモード時に有効で、図１２のコピー形式選択フローに示すように、（１）独立ページ、（２）見開きページ、がある。このモードは、コピー形式キー９９−５の押下により切り替わり、指定モードのＬＥＤ９９−５ａ（独立ページ），９９−５ｂ（見開きページ）が交互に点灯する。本装置では、コピー形式モードに優先順位を設け、第１の設定は、製本原稿の１ページを転写紙１ページに形成する使用頻度の高い「独立ページモード」としている。また、電源投入時や製本原稿読み取りモードの選択時のコピー形式モードの初期設定も、「独立ページモード」としている。
【００３９】
コピー形式モードの「独立ページ」モード指定時は、読み取った見開き製本原稿のページ画像の画像情報をページ毎にフレームメモリより読み出して、１ページの転写紙にコピーする。その画像合わせは、後述するように、ページ端部検知よりページ画像位置を算出して、転写紙内に配置する。一方、「見開きページ」モード指定時は、読み取った見開き製本原稿の両ページの画像情報をフレームメモリより連続して読み出して、１ページの転写紙にコピーする。
【００４０】
一般に、本、書籍類は、両面の印刷であり、ステープラー止めやファイル等のオフィス文書にも両面原稿がある。従って、製本原稿を読み取り、読み取りページの画像を形成し、製本原稿のページをめくる本原稿画像形成装置でおいて、製本原稿のページ毎の画像を用紙１ページに形成する「独立ページモード」と、製本原稿の見開き両ページの画像を用紙１ページに形成する「見開き左右ページモード」とを備えることにより、画像形成形態の違った複写を得ることができる。特に、「独立ページモード」は、製本原稿とページ構成が同じとなる。また、「見開きページモード」は、複写数が２分の１となり、グラビアなどの見開きページに亘る画像を連続画像として形成することができる。
【００４１】
本装置では、画像形成形態に拘らず、画像読み取りは１回の片方向走査で同一に制御する。すなわち、見開き製本原稿の両ページ画像を１回の走査で読み取り、画像記憶手段に書き込み、「独立ページモード」では、読み取り画像をページ毎の画像範囲に分割して記憶手段より読み出して、用紙１ページに画像形成し、「見開きページモード」では、読み取り画像を見開き両ページ連続で記憶手段より読み出して、製本原稿の見開き両ページの画像を用紙１ページに形成する。
【００４２】
コピー開始ページの選択には、図１３の開始左右ページの設定フローに示すように、（１）左ページ、（２）右ページ、があり、コピー開始ページキー９９−６の押下によりどちらかを選択する。
コピー開始ページモードの右ページ指定時は、読み取った見開き製本原稿の右ページから画像形成し、ページをめくって更にページ毎の画像を形成する。画像形成は、「独立ページモード」の片方ページの画像情報ずつフレームメモリより読み出して行なう。その画像合わせは、後述するように、ページ端部検知より画像位置を算出して、転写紙内に配置する。一方、コピー開始ページモードの補だ利ページ指定時は、読み取った見開き製本原稿の左ページから画像形成し、ページをめくって更にページ毎の画像を形成する。
【００４３】
このコピー開始ページの選択は、「独立ページモード」で、その指定により画像形成を始め、不要なページの複写をしない。また、「見開きページモード」でも、指定ページ外のページ画像を消去または画像形成しないように制御できる。例えばこれは、「見開きページモード」で、コピー開始ページが右ページに選択された場合、最初の見開き左ページ部の画像は白データに変換して作像する。また、前述のように、最終ページが見開き左ページの場合、同様に、最終の見開き右ページ部の画像は白データに変換して作像することができる。
【００４４】
図１４に、本装置における画像読み取り用のスキャナユニット３０を示す。
【００４５】
図１４において、走査ユニット２００は、このスキャナユニット３０の内部を図１４において左右方向に走行して、原稿台１上に見開かれて載置された製本原稿ＢＯの走査を行う。この走査ユニット２００の走査駆動系の構成図を図１５に示す。
【００４６】
図１５は、装置本体の上部から見た走査ユニット２００の走査駆動系であり、図１５において、装置本体の奥側にタイミングベルト３１２がプーリ３０４と３段プーリ３０２によって、装置本体の手前側にタイミングベルト３１３がプーリ３０５と２段プーリ３０６によって、それぞれ左右方向に張られている。ここで、プーリ３０４とプーリ３０５の回転軸は、それぞれバネ３０７とバネ３０８によって支持され、各タイミングベルト３１２，３１３に所定の張力を与えている。３段プーリ３０２は、タイミングベルト３１０でモータプーリ３０１と、また、タイミングベルト３１１で２段プーリ３０６とそれぞれ連結されている。タイミングベルト３１１は、アイドラ３０３をバネ３０９で外側に引くことで所定の張力を得ている。走査ユニット２００は、その奥側と手前側とがクランプ３１５により各タイミングベルト３１２，３１３にそれぞれ固定され、モータプーリ３０１の回転軸を駆動するスキャナモータ１０６の回転により、各タイミングベルト３１２，３１３を介して駆動される。
【００４７】
本装置における走査ユニット２００の構成を図１６に示す。図１６において、走査ユニット２００の下側の左右には原稿押えローラ２８１ａ，２８１ｂが、また、その外側にはシート巻き取りローラ２８０ａ，２８０ｂが、それぞれ回転自在に軸支されている。各シート巻き取りローラ２８０ａ，２８０ｂには、左右独立した原稿押えシート２８２ａ，２８２ｂのそれぞれの中央側の端部が巻き取られており、各原稿押えシート２８２ａ，２８２ｂのそれぞれの外側の端部は、スキャナユニット３０の側板にそれぞれ固定されている。
【００４８】
また、図１７に示すように、各巻き取りローラ軸２５１ａ，２５１ｂの外側端部には、シート巻き取りギヤ２３２ａ，２３２ｂが固定されており、これらのシート巻き取りギヤ２３２ａ，２３２ｂは、スキャナユニット３０の側板に左右両端を固定され、略全長に亘って歯を有する駆動ラック２３１に、各アイドルギヤ２３３ａ，２３３ｂを介して、それぞれ噛み合っている。これにより、図１７において走査ユニット２００が走行すると、各アイドルギヤ２３３ａ，２３３ｂとともに各シート巻き取りギヤ２３２ａ，２３２ｂが回転し、各巻き取りローラ軸２５１ａ，２５１ｂ、各ゼンマイバネ（図示せず）、及び、各シート巻き取りローラ２８０ａ，２８０ｂを介して、各原稿押えシート２８２ａ，２８２ｂの引き出し及び巻き取りが行われ、左右のシート巻き取りローラ２８０ａ，２８０ｂの張力が、常時、略一定に維持される。
【００４９】
一方、図１６に示すように、各原稿押えローラ２８１ａ，２８１ｂの間には、製本原稿読み取り用のプラテンガラス２０５と、製本原稿ページめくり用のめくりベルト２０８が配設されている。
【００５０】
このプラテンガラス２０５の内側には、図１６に示すように、製本原稿照明用の２本の蛍光灯２０１，２０２が、製本原稿読み取り部の左右にそれぞれ配置されている。これらの蛍光灯２０１，２０２によって照明された製本原稿像は、図１６において、第１ミラー２１９に反射した後、第２ミラー２２０と第３ミラー２２１に交互に反射し、最後にレンズ２１６を透過して、ＣＣＤ１０１上に縮小結像される。また、めくりベルト２０８は、めくりベルト駆動ローラ２２３とめくりローラ２２４とに掛け渡されており、このめくりベルト２０８の上側の、めくりベルト駆動ローラ２２４から少し離れた部位の外側には、帯電ローラ２２５が接触して配置されている。
【００５１】
次に、スキャナユニット３０のめくり動作について説明する。図１８に、本装置における走査ユニット２００のページめくり部の動作説明図を示す。本装置におけるめくりベルト２０８は、材質が、ＰＥＴ、ＰＣ、ＰＶＣなどからなり、その表面層が表面抵抗１０１４Ω以上の高抵抗フィルム、その裏面層が表面抵抗１０８Ω以下の低抵抗フィルムからなる二重構造の樹脂フィルムで構成されている。また、めくりベルト駆動ローラ２２３は、接地された金属ローラの表面に導電性ゴムを被覆したローラで構成されており、確実なベルト駆動とアースを実現している。更に、帯電ローラ２２５は、金属ローラで構成されており、この帯電ローラ２２５には、切り換えスイッチ２５３ａを介して、交流電源２５３から所定のタイミングで、±２ｋＶの高電圧が印加される。
【００５２】
図１８において、走査ユニット２００を走行させ、めくりベルト２０８を駆動しながら、後述するタイミングに合わせて切り換えスイッチ２５３ａをオンし、帯電ローラ２２５に交流電源２５３から±２ｋＶの高電圧をかけると、めくりベルト２０８の表面上に交番電界が生じ、この交番電界の作用により、このめくりベルト２０８の表面に、接触した製本原稿ＢＯの最上位ページ２５４を吸着させる吸着力が発生する。
【００５３】
次に、製本原稿ＢＯのページ読み取り及びページめくり動作について説明する。先ず、読み取り開始信号によって、見開かれた製本原稿ＢＯの中央に位置している走査ユニット２００は、図１４の右方向に移動を開始し、製本原稿ＢＯの右ページ端を光学的に読み取るプレスキャンを行う。このときに検出した右ページ端部位置は、最初のページめくり位置情報として記憶される。次いで、プレスキャンを終えた走査ユニット２００は、装置の右端まで移動した後、左方向に移動し始め、装置左側のホームポジションに移動される。その後、走査ユニット２００は、図１９に示すように、再び右方向に移動を開始し、製本原稿ＢＯの原稿ページを左ページから右ページへと読み取り、この初ページ目のページ読み取りが終了すると、図２０に示すように、その原稿走査方向が逆転され、図２１に示すように、読み取りを終えた製本原稿ＢＯの右ページのページめくり動作を開始する。
【００５４】
この製本原稿ＢＯのページめくりを始めるときには、このページめくり動作に先行して、めくりベルト２０８の表面上に形成された帯電パターン部が製本原稿ＢＯの最上位ページ２５４の上に重なる。そして、この最上位ページ２５４の先端が、めくりベルト２０８の下側の中央を越えたところで、図２１に示すように、このめくりベルト２０８が、図示せぬソレノイドの作用により、図１８の実線で示す位置に移動される。これにより、このめくりベルト２０８の表面に形成された電荷パターンの不平等電界による吸着力で、製本原稿ＢＯの最上位ページ２５４だけが、めくりベルト２０８の表面上に吸着されて、この最上位ページ２５４の端部がめくりベルト２０８と共に持ち上げられる。この不平等電界による吸着力は、この最上位ページ２５４以外のページを吸着させない特徴を有している。
【００５５】
上述のように、製本原稿ＢＯの最上位ページ２５４をめくり上げた後、この状態のまま走査ユニット２００を、図２１に示すように、その端部ホームポジションに向けて移動させると、この製本原稿ＢＯの最上位ページ２５４は、図２２に示すように、確実に搬送され、走査ユニット２００の右側部に配置された上下一対のページガイド２２７，２２８（図１６）の間を通過して、走査ユニット２００の右外側にその先端側が送り出される。この時、この走査ユニット２００の上方側のページガイド２２７上に取付けられたページセンサ２１４（図１６）が、走査ユニット２００の右外側に送り出された原稿ページを検知して、この原稿ページが正常にページめくりされたことを判断する。
【００５６】
ここで明らかなように、本装置では、走査ユニット２００のページめくり動作によりめくり上げられた原稿ページが、丸められたり折り曲げられたりせずに自然な姿勢に保持されるので、このめくり上げた原稿ページを傷めることがなく、また、このめくり上げた原稿ページを収納するためのページ収納手段を走査ユニット２００内に配設する必要がないので、走査ユニット２００を小型化できる。
【００５７】
また、本装置では、ページめくりセンサ２１４により右ページ端部が検知されるタイミングから、ページをめくる前のページ右端部を算出することができ、この値を読み取り画像と、次のページめくり開始位置として利用する。次いで、図２３に示すように、製本原稿ＢＯの最上位ページ２５４を製本原稿の綴じ部ＢＯａまでめくり上げた状態で、走査ユニット２００を更に左側のホームポジションに向けて移動させると、図２４に示すように、めくり上げられた原稿ページが製本原稿の綴じ部ＢＯａに引っ張られて、一対のページガイド２２７，２２８の間を戻りながら、製本原稿ＢＯの左ページ上に重ね合わされるようにして、走査ユニット２００内から排出される。このとき、ページガイド２２７，２２８から排出されるページの形状が常に同じ形態となることから、ページめくりセンサ２１４により排出ページ端部が検知されるタイミングにより、次のページ読み取り開始位置を算出することができる。
【００５８】
また、スキャナユニット３０には、図２５に示すように、シート原稿読み取り時の基準白板３０−１、製本原稿読み取り時の基準白板３０−２、走査ユニット２００のホームポジションを検知するホームポジションセンサ３０−３、スキャナ３０の開放状態を検知するスキャナ開放検知器３０−４、スキャナ３０内での結露を防止するための結露防止ヒータ３０−５、原稿台１を上昇させるための原稿台上昇モータ３０−６、原稿台１への製本原稿のセット状態を検知する製本原稿セットセンサ３０−７、製本原稿トレイのセット状態を検知する製本原稿トレイセットセンサ３０−８、製本原稿トレイをロックする製本原稿トレイロックソレノイド３０−９、原稿台１の下限位置を検知する原稿台下限位置検知器３０−１０、製本原稿トレイをセットする製本原稿トレイセットソレノイド３０−１１、製本原稿のページめくり条件を変更するためのめくり条件変更スイッチ３０−１１、などが配設されている。
【００５９】
一方、スキャナユニット３０のコンタクトガラス２０６上にセットした原稿を読み取る時は、図１４に示すように、このコンタクトガラス２０６の左側に配置されたスケール２０７の右端部を原稿の基準セット位置とする端面基準となる。このように、この場合には、その基準セット位置が製本原稿の読み取り開始位置と異なり、その構成が最小サイズになるようにしてある。すなわち、このように原稿の基準セット位置を端面基準とすることにより、コンタクトガラス２０６上にセットされた原稿の読み取り開始ポイントが常に一定となり、その制御が簡単となる。
【００６０】
このコンタクトガラス２０６上の原稿を読み取るシートモードでは、走査ユニット２００が、中央ホームポジションから左側に移動して端部ＨＰセンサで検知される端部ホームポジションで停止し、その読み取り条件が入力されてスタートボタンが押されるのを待つ。また、ここで、コンタクトガラス２０６の右側、すなわち、製本原稿のページめくり開始側にスケール２０７を配置し、原稿台１とコンタクトガラス２０６の両方に原稿を載せて走査ユニット２００で走査することにより、原稿台１上の製本原稿のページめくりを行いながら、同時にコンタクトガラス２０６上の原稿の読み取りを行うことができる。
【００６１】
この構成の場合には、製本原稿のページめくり走査時に、後述するように、走査ユニット２００の読み取り光路の光路切り換えをしておく。このように構成すると、走査ユニット２００の副走査方向の読み取り方向が、原稿台１上とコンタクトガラス２０６上とで同じになり、そのプリント時のシート排出方向が同一となるので、メモリの反転が不要となる。
【００６２】
更に、製本原稿ＢＯを原稿台１上に、シート原稿ＳＯをコンタクトガラス２０６上にセットし、走査ユニット２００を端部ホームポジションから走査して原稿台１上の製本原稿ＢＯを読み取り、この走査ユニット２００のリターン走査で製本原稿ＢＯのページをめくりながら、コンタクトガラス２０６上のシート原稿ＳＯを読み取るモードを設定することもできる。この場合には、製本原稿ＢＯの読み取りページめくり動作中であっても、コンタクトガラス２０６上にシート原稿ＳＯをセットして割込みモードを設定することにより、その製本原稿ＢＯの読み取りページめくり動作を中断せずに両原稿を読み取ることができる。ここで、スケール２０７がコンタクトガラス２０６上のどちら側に配置されていても、このコンタクトガラス２０６上の原稿を読み取った画像は、主走査方向にミラー反転してフレームメモリに記憶しておく。
【００６３】
この例では、原稿台１上及びコンタクトガラス２０６上の奥行き方向における原稿の基準セット位置を、装置本体の手前側が突き当て基準となるように構成して、その原稿台１上及びコンタクトガラス２０６に対する原稿セット操作をし易くしている。また、この例における走査ユニット２００の動作開始時には、中央ＨＰセンサにより、走査ユニット２００が中央ホームポジションにあることをもう一度確認する。そして、操作パネル９９からスタート信号が送られると、走査ユニット２００は、中央ホームポジションから左側に移動して、端部ＨＰセンサで検知される端部ホームポジションで停止する。
【００６４】
コンタクトガラス２０６上にセットされた原稿を読み取る場合には、図１６に示すように、走査ユニット２００の読み取り光路から外れた位置に待避している切り換えミラー（サブ第１ミラー）２２２が、図２７に示すミラー切換えソレノイド２５５の作用によって、図２６に示すように、走査ユニット２００の読み取り光路内に進出した位置まで移動される。この切り換えミラー２２２の移動により、図２６に示すように、第１ミラー２１９と第２ミラー２２０との間の光路が、破線で示すプラテンガラス２０５側から、実線で示すコンタクトガラス２０６側に切り換えられ、２本の蛍光灯２０３，２０４によって照明されたコンタクトガラス２０６上の原稿像が、本原稿の場合と同様に、第２ミラー２２０と第３ミラー２２１に交互に反射し、レンズ２１６を透過して読み取りセンサ１０１のＣＣＤ上に縮小結像される。
【００６５】
図２８に、本装置の画像形成部を示す。この画像形成部は、給紙トレイ７０７，７０８より用紙を給送し、画像を作像し、用紙に画像を定着させる定着部７１２とからなるプリンタ本体７０１と、その周辺機器としての手差しトレイ７０９、ソータ７０２、用紙反転ユニット７０３や、両面ユニット７２０と大量給紙トレイ（ＬＣＴ）７０４を備えるバンク７０５により構成される。画像形成は、像を形成する感光体７０６に、帯電、露光、現像の一連のプロセスでトナー像を作り、このトナー像を給紙された用紙に転写器７１０で転写し、このトナー像の転写された用紙を分離器７１１で感光体７０６から分離した後、定着して機外に排出する。用紙へのトナー像の転写を終えた感光体７０６は、クリーニングされて次の作像に備えられる。また、感光体７０６への画像の書き込みは、半導体レーザＬＤにより感光体７０６を露光走査して行なわれ、これにより、感光体７０６上に電荷の画像パターンが作られる。
【００６６】
次に、本装置における製本原稿モードの場合の基本的な操作手順について説明する。
（１）製本原稿読み取りモード選択；「装置がシート原稿モード」になっている場合には、製本原稿キー９９−２を押下して、「製本原稿モード」を選択する。
（２）複写モードセット；▲１▼コピー形式選択：独立ページまたは見開きページ選択。▲２▼編集・加工選択：ソート、両面、消去、基準、ページ限定、表面排紙の選択。▲３▼ページ数設定：（必須）複写ページ数、開始左右ページを入力。▲４▼その他の設定：複写機能（変倍、用紙選択、文字、写真、濃度、置数）の設定。
（３）製本原稿セット；▲１▼原稿トレイを開ける。▲２▼本のセット：本を原稿台上に綴じ部左端・手前基準で搭載、右表紙を左押え板で挾持、左表紙を右押え板で挾持、本の複写開始ページを開く。▲３▼原稿トレイを閉める（セット動作により原稿台が上昇し、ページ上面を平坦にする）。
（４）複写；▲１▼複写開始：スタートキー９９−４１を押下して、複写工程を開始。▲２▼複写終了：設定ページ数の自動ページめくり／複写。
（５）製本原稿取り出し；▲１▼原稿トレイ開放指示：製本原稿トレイセットスイッチ３０−８を押下して、原稿台を下降し開放許可。▲２▼原稿トレイを開ける。▲３▼本の取り外し：解除レバーを引いて、左右表紙の挾持解除、本の取り出し。▲４▼原稿トレイを閉める。
【００６７】
次に、本装置の本・シート原稿読み取り装置ＴＰＳ（Ｔｕｒｎ  ｔｈｅ  Ｐａｇｅ  Ｓｃａｎｎｅｒ）システムの動作（ＴＰＳ動作モード）について説明する。
【００６８】
（１）読み取りモード；▲１▼製本原稿読み取り：サブ第１ミラー（切換えミラー２２２）を解除し、下側蛍光灯を点灯し、左Ｈ／Ｐ（ホームポジション）にてシェーディング補正後に、キャリッジ（走査ユニット２００）を右方向に走査して、見開き製本原稿を一度に読み取り、Ｆ／Ｍ（フレームメモリ）に格納する。▲２▼シート原稿読み取り：サブ第１ミラーを挿入し、上側蛍光灯を点灯し、左Ｈ／Ｐにてシェーディング補正後に、キャリッジを右方向に走査してシート原稿を読み取り、Ｆ／Ｍ（フレームメモリ）に格納する。
【００６９】
（２）リターンモード；▲１▼ページめくり：製本原稿読み取りモードで、高圧のバイアスを印加し、読み取りめくりユニットを左方向に走査して、めくりローラが見開き製本原稿の右端部に達した時点で停止し、めくりローラを上昇させ、０．５ｓｅｃ．後に、キャリッジを左方向に走査する。読み取りセンサ画像より、見開き製本原稿の右端部と上端部を検出し、初回のページ吸着位置と主走査方向の画像有効範囲を算出する。また、ページめくり時に、ページ搬送路のセンサ（ページめくりセンサ２１４）により見開き製本原稿の右端部と左端部位置を検出し、副走査方向の画像有効範囲を算出する。▲２▼ユニットリターン：シート原稿読み取りモードで、読み取りめくりユニット（走査ユニット２００）を左方向に走査する。
【００７０】
（３）ホーミングモード；通常の電源投入時、原稿台を下降させ、キャリッジから退避させる。キャリッジを走査して中央Ｈ／Ｐ位置にセットする。
【００７１】
（４）前走査モード；左Ｈ／Ｐにキャリッジを走査して、シェーディング補正、読み取り開始に備える。
【００７２】
（５）後走査モード；リターン動作終了後、キャリッジを走査して中央Ｈ／Ｐにセットし、原稿台を下降させてキャリッジから退避させ、製本原稿の取り出しを可能とする。
【００７３】
次にＴＰＳシステムとデータフローについて説明する。図２９に、ＴＰＳの原稿読み取り画像を電子写真方式のプリンタに複写出力するシステム構成を示す。
【００７４】
本システムは、原稿を読み取るスキャナ部５００と、画像を形成するプリンタ部５０１とで構成され、スキャナ部５００には原稿を走査する読み取りめくりユニットのキャリッジ部（走査ユニット２００）がある。キャリッジ部は、画像を読み取るＣＣＤ（電荷結合素子）を備える画像読み取り板（ＳＢＵ）１０１と、この画像読み取り板１０１からの画像のアナログ信号処理とＡ／Ｄ変換までを行うＶＰＵ１０２と、蛍光灯とそのインバータ電源、ヒータ、サーミスタ、ファン、ソレノイド等のキャリッジ内の負荷系の信号線と電源ラインの配線を中継するＣＡＲＩＤＧＥ５０２で構成される。このＣＡＲＩＤＧＥ５０２とＶＰＵ１０２はそれぞれ独立のフレキシブルケーブルでＩＰＵ１０３と接続されている。
【００７５】
ＩＰＵ１０３には、読み取り画像を記憶するコネクタで脱着可能なＤＲＡＭモジュール（フレームメリ１０４）を備えている。また、キャリッジ走査のステッピングモータや原稿台駆動用のＤＣモータ等の負荷とセンサを駆動・中継するＭＯＴＯＲ．Ｄも、ＩＰＵ１０３内のマイクロコンピュータが制御している。
【００７６】
プリンタ５０１は、複写のモード制御と操作パネル９９のキー信号の取り込み及び表示制御を行うメイン制御部（ＭＡＩＮ）と、複写タイミング制御を行うシーケンス制御部（ＳＥＱ）とからなるメイン制御板１０７を有し、メイン制御部（ＭＡＩＮ）とＩＰＵ１０３、シーケンス制御部（ＳＥＱ）、操作パネル（ＰＡＮＥＬ）９９の各マイクロコンピュータ間は、それぞれシリアル通信でコマンドの送受信を行う。メイン制御板１０７は、プリンタ５０１の作像に係わるセンサ類の入力、モータ、ソレノイド、クラッチ等の出力により、画像形成のシーケンス制御を行う。
【００７７】
図３０に、このＴＰＳの原稿読み取り画像を電子写真プリンタに複写出力する装置のデータフローブロックを示す。本システムは、ＴＰＳの画像読み取り部と画像データ処理部、画像形成部に大きく分けられる。ＴＰＳの走査読み取りめくりユニット（キャリッジ）右端部に配置した画像読み取り板１０１には、ＣＣＤ（電荷結像素子）を備え、ＶＰＵ（Ｖｉｄｅｏ  Ｐｒｏｃｅｓｓｉｎｇ  Ｕｎｉｔ）１０２で、ＩＰＵ（Ｉｍａｇｅ  Ｐｒｏｃｅｓｓｎｉｇ  Ｕｎｉｔ；画像処理装置）１０３からの基準信号に基づきＣＣＤに駆動信号発生と、ＣＣＤのアナログデータ出力信号の補正からデジタル変換までを行う。クロック及び主走査方向のゲート信号に同期した各ドット８ビットの読み取り画像データを約７．５ＭＨｚの速度でＩＰＵ１０３に出力し、このＩＰＵ１０３で、ＶＰＵ１０２からの画像データの変倍等の加工処理や電子写真の高画質処理を行う。ＩＰＵ１０３の最終処理では、画像データのγ補正を含む階調処理を行い、書き込みに適した各ドット４ビットのビデオデータに変換してその処理データをフレームメモリ１０４に蓄積する。
【００７８】
このＴＰＳでは、本原稿の読み取り走査速度９０ｍｍ／ｓｅｃ．、シート原稿の読み取り走査速度１２０ｍｍ／ｓｅｃ．、作像速度１８０ｍｍ／ｓｅｃ．と、その読み取り走査速度と作像速度とに差があるので、その速度バッファ用にＡ３サイズ１ページ分のフレームメモリ１０４を用いている。また、製本原稿に接触して読み取り走査するため、リピートコピー時には、このフレームメモリ１０４より画像データを複数回繰り返して読み出して出力すればよく、このフレームメモリ１０４はリピートコピー時の原稿保護に対して有効となる。さらに、製本原稿の見開きの左右ページを独立にプリントするページ連写では、１回の走査読み取りでフレームメモリ１０４を用いて左右頁の画像を分割することができるので、ＴＰＳは画像形成部を構成するレーザプリンタ５０１の画像書き込みとの同期走査や再度の助走がいらない。
【００７９】
更に、このフレームメモリ１０４は、ＩＰＵ１０３の速度対応性により各ドット４ビット構成のフレームメモリ１０４をＩＰＵ１０３より後段に配置し、ＩＰＵ１０３による画像処理後の書き込みデータをフレームメモリ１０４に格納することにより、各ドット８ビットの読み取り画像データに対してフレームメモリ１０４の容量を半分にする。
【００８０】
ＴＰＳのフレームメモリ１０４の容量は４００ｄｐｉの画像データでＡ３サイズ１ページ分の１２８Ｍビットであり、ＤＲＡＭによって構成される。ＩＰＵ１０３からフレームメモリ１０４への画像データ入力は、画像データの２ドット分をパラレルに行い、約３．８ＭＨｚの速度で順次入力する。一方、フレームメモリ１０４からの画像データ出力は、同じく画像データの２ドット分をパラレルに行ない、約７．５ＭＨｚの速度でＩＰＵ１０３から送られるクロック及び主走査方向、副走査方向のゲート信号に同期させてメイン制御板１０７に順次出力する。更に、読み取り画像データを他のシステム機器、例えば、プリンタやワークステーションに転送するための汎用ＳＣＳＩインターフェースを備えている。
【００８１】
メイン制御板１０７では、フレームメモリ１０４によりプリンタの画像形成速度に合わせて高速に出力された画像データを約１５ＭＨｚのシリアルデータに結合し、ＦＩＦＯ（Ｆｉｒｓｔ  Ｉｎ  Ｆｉｒｓｔ  Ｏｕｔ）を用いて、更に主走査方向に高速化し、約１８ＭＨｚの書き込みクロックに同期させる。その各ドット４ビットの画像データを発光時間データにパルス幅変調し、ＬＤ（ＬａｓｅｒＤｉｏｄｅ）１０５のコントローラにＰＷＭデータで書き込みクロックに同期させて送信する。ＬＤコントローラはＬＤドライバを備え、ＬＤ１０５を発光させて感光体を露光走査して作像する。
【００８２】
ＩＰＵ１０３は、ＴＰＳの読み取りめくりユニット（走査ユニット２００）の走査制御も行い、シート原稿読み取り時、及び製本原稿読み取りは、読み取りめくりユニットを走査速度９０ｍｍ／ｓｅｃ．で等速走査し、７１から１４１％までのズームを含む変倍時には、その１．４１から０．７１倍の線速で読み取りキャリッジ２００を走査する。また、読み取りめくりユニットを走査開始位置に戻すリターン時、及び製本原稿のページめくり時には、２２７ｍｍ／ｓｅｃ．の速度でスキャナのステッピングモータ（スキャナモータ１０６）を駆動する。
【００８３】
原稿端部の画像検知回路は、ＩＰＵに配置され、主走査方向の画像変倍処理前の画素データをサンプリングして判別する。検出の開始、終了は、ＩＰＵのマイクロコンピュータにより指示され、副走査方向検出は、読み取りめくりユニットの走査位置によりマイクロコンピュータが管理し、主走査方向検出は、主走査方向の画素カウンタをマイクロコンピュータが参照する。そして、その検出位置より、上記ページ吸着位置、主走査方向画像範囲をマイクロコンピュータが算出する。
【００８４】
次に、製本原稿動作タイミングについて説明する。図３１及び図３２に、本装置の製本原稿モードの複写動作タイミングを示す。プリントキー（スタートキー９９−４１）の押下からの初期モードでは、画像による端部検知を実施している。図３１及び図３２は、連続複写モードの途中で、ページ収納位置による端部検知を実施している。各モードの製本原稿のページサイズはＡ４サイズで、製本原稿の見開き２ページをキャリッジ１回の走査で連続して読み取り、前記フレームメモリ内にＡ３サイズ分の読み取りデータを記憶し、各出力モードに応じてフレームメモリよりデータを読み出して作像し、転写紙に記録する。
【００８５】
図３１は、Ａ３サイズの転写紙に見開き出力し、製本原稿に対して１部の複写を行う１ｔｏ１複写モードである。図３２は、Ａ４サイズの転写紙に読み取り左右ページをそれぞれ別の転写紙に独立ページ毎に出力し、同じく製本原稿に対して１部の複写を行う１ＴＯ１複写モードである。
【００８６】
操作パネル９９の複写開始を指示するスタートキー９９−４１をオンすると、走査ユニット２００を走査するためのスキャナモータ１０６を正転方向へ駆動し、中央部に位置している走査ユニット２００を右方向（読み取り開始方向）へ移動し、先ず、ページの初回めくりの端部位置を検出する。次に、図１６の本原稿モード動作タイミングにおいて、キャリッジ（走査ユニット２００）を左端部の読み取り開始方向へ高速で移動する。キャリッジが左側ホームポジションの読み取り開始位置へ移動すると、スキャナモータ１０６を正転方向へ駆動し、蛍光灯２０１，２０２を点灯させて製本原稿の読み取り走査を開始する。
【００８７】
ＩＰＵ１０３内のマイクロコンピュータは、見開き製本原稿の左頁端部地点から原稿画像として処理し、読み取り副走査方向の有効画像領域信号ＳＦＧＡＴＥを発生する。また、ＩＰＵ１０３内のマイクロコンピュータは、この有効画像領域信号ＳＦＧＡＴＥによってフレームメモリ１０４のデータ書き込み信号メモリＷを操作し、データ書き込み範囲を制御する。
【００８８】
読み取り走査を終了すると、復動のページめくり走査に入り、前述の初回はページ収納及び排出位置による画像有効範囲の確定後に画像形成を開始する。また、２回目以降は、前回検出のページ収納位置により算出した画像有効範囲で読み取り走査終了直後に画像形成を開始する。
【００８９】
ページ範囲の検出は、ページめくり時に、ページガイド板へのページ挿入と排出タイミングにより、見開き最上位のページ位置をスキャナモータ１０６の制御アドレスから検出し、見開き製本原稿綴じ部中央地点を算出し、独立ページ出力モード時の第２の画像の基準位置や、見開き出力モード時で読み取った画像を転写紙の中央に形成する場合等に用いる。
【００９０】
プリンタ側の副走査方向の有効画像領域信号ＰＦＧＡＴＥによってフレームメモリ１０４のデータ読み出し信号メモリＲを操作し、プリンタに同期してデータを画像出力する。また、ページめくり時には見開き製本原稿のページ端部をページセンサで繰り返し検出する。以上の行程の繰り返しにより、自動的に製本原稿のページをめくりながら製本原稿の見開きページ複写を行う。
【００９１】
図３２は、独立ページ毎に出力する１ＴＯ１複写モードで、読み取りモード時は、図３１の場合と同様のタイミングで動作し、ページめくり時の画像出力は、連続して搬送される転写紙に合わせて二つのＰＦＧＡＴＥによってフレームメモリ１０４のデータ読み出し信号メモリＲを操作し、製本原稿のページ毎のデータを画像出力する。製本原稿右ページの画像データは、フレームメモリ１０４のアドレスカウンタをＰＦＧＡＴＥによってマスクして停止させることにより、製本原稿の左ページの第１の画像に連結した画像データを第２のＰＦＧＡＴＥ信号により転写紙間隔を持って読み出す。
【００９２】
本装置は、吸着ローラの変位による製本原稿ページの吸着・分離方式に対して安定したページめくり動作を行う。この方式は、ページ先端部のみを吸着して上方に変位させページ収納部へと導くため、その吸着位置が重要となる。以上の通り、製本原稿のページめくり走査時にページ収納センサで製本原稿のページ端部を検出し、ページめくりの繰り返しにより変化する製本原稿のページ端部に対する吸着・分離の動作位置を決定する。つまり、ページ収納位置データより走査終了側のページ端部を検出し、ページめくり走査時の吸着ローラの上昇位置を決定し、常にページの同一量を吸着・分離するように制御する。
【００９３】
次に、全ページ指定の最終停止について説明する。本発明の画像形成装置には、ページめくり動作の可否を判断する機能を備えている。その方法は、前述のページの収納を行なうページガイド部に、ページの有無を検知するページセンサ２１４を備え、めくり走査時に規定のキャリッジ位置で、そのページセンサへのページ紙挿入が無いことにより判別している。また、このページセンサは、この不めくり検知の他、上記ページ端部位置の検出に用いており、キャリッジが最左端に到達してページが排出終了されるときにページ有りにて、綴じ部の剥がれなど異常として検出している。
【００９４】
本装置は、厚紙のページなどめくれない時や、最終ページでめくるべきページがない場合に、不めくり検知で停止する。また、偶発的にめくれない場合があるため、めくり走査時に不めくりを検知すると、再度右端へ移動してめくり動作（リトライ）を以降３回繰り返す。
【００９５】
全ページ指定時の最終停止の動作を以下に説明する。左側にしかページ画像がない最後のページを読み取り後、めくり走査を実行するが、３回のリトライでもページが収納されない不めくりの場合は、最終ページの判別に入る。図３３に示す主走査方向のページ端部検出位置で、図３４に示す主走査方向端部検出フローに従って、右原稿台上のページの有無を判別する。ここで、読み取り画像が原稿台と同じ黒色と検出されると、最終ページと判断して、読み取りを停止して最後のページの複写動作終了後に装置を停止する。
【００９６】
最終ページ検知後、装置は製本原稿取り出し可能なモードに入る。第１にキャリッジを中央ホームポジションへ移動し、原稿台を最下位置まで下げる。第２に原稿台のロックを解除して製本原稿トレイスイッチを点灯し、製本原稿を取り出し可能な状態で待機する。これにより、製本原稿取り出し可能なモードに入る。ガイダンスは、図６に示すように、”サイシュウページデス”を表示し、製本原稿の最終ページを検知して正常終了したことを知らせる。
【００９７】
【発明の効果】
本発明は、以上説明したような形態で実施され、以下に記載されるような効果を奏する。
【００９８】
本原稿の全てのページの読み取りまたは出力を指示するページ入力手段としてコピーページ設定に「全ページ」モードを設けることにより、本原稿を丸ごと１冊複写するときに、その複写範囲をワンタッチのキー操作で指定できるようになる。また、機能も分かり易くなる。
【００９９】
また、見開いてセットした本原稿の見開きページから読み取りまたは出力を開始し、該本原稿のめくり方向の最終ページまで連続してページの読み取りまたは出力を行ない、該本原稿の最終ページを検知して上記読み取りまたは出力を停止することにより、本原稿のあるページ以降の全てのページを複写したり、本原稿を丸ごと１冊複写するときに、適切な複写が行なわれて終了する。
【０１００】
また、本原稿の全てのページの読み取りまたは出力を行なう全ページ指定の時に、画像をページ毎に分割して出力する独立ページモードの開始ページを右ページに指定または初期設定することにより、本原稿の左右の開始ページの設定を容易にでき、また、誤操作によるミスコピーを低減できる。
【０１０１】
また、本原稿の全てのページの読み取りまたは出力を行なう全ページ指定で、読み取りまたは出力の終了時、該本原稿の取り出し動作に移行することにより、オペレータの操作を軽減でき、また、即座に本原稿を取り出せ、作業効率を向上できる。
【０１０２】
また、ページ入力範囲のデータを保持して読み出しすることにより、ページ範囲をページ数で指示するページ入力と、全てのページの読み取りまたは出力を指示する全ページ指定の切り換えによっても、一度入力してページ数が初期値として読み出されるので、ページ入力設定方法の切換えによる煩わしいページ数の再入力の手間を省くことができる。
【図面の簡単な説明】
【図１】本原稿画像形成装置の操作・表示部の全体図である。
【図２】従来からの本原稿画像形成装置のコピーページ設定の入力操作部を示す部分図である。
【図３】本発明の本原稿画像形成装置のコピーページ設定の入力操作部を示す部分図である。
【図４】本発明の本原稿画像形成装置の本原稿複写中及び待機中の一般的なガイダンス表示を示す図である。
【図５】本発明の本原稿画像形成装置のシート原稿コピー中の一般的なガイダンス表示を示す図である。
【図６】本発明の本原稿画像形成装置のガイダンス表示例を示す図である。
【図７】本発明の本原稿画像形成装置のページ数設定時のガイダンス表示を示す図である。
【図８】本発明の本原稿画像形成装置の全ページ設定時、及びコピー中の一般的なガイダンス表示を示す図である。
【図９】本発明の本原稿画像形成装置のページ設定移行時のガイダンス表示の遷移を示す図である。
【図１０】本発明の本原稿画像形成装置のコピーページ設定の選択のフローチャートである。
【図１１】本発明の本原稿画像形成装置のページ数の設定のフローチャートである。
【図１２】本発明の本原稿画像形成装置のコピー形式選択のフローチャートである。
【図１３】本発明の本原稿画像形成装置の開始左右ページの設定のフローチャートである。
【図１４】本発明の本原稿画像形成装置の本・シート原稿読み取り装置（ＴＰＳ）の全体的な構成を示す概略断面図である。
【図１５】上記ＴＰＳにおける走査ユニットの駆動機構を示す概略平面図である。
【図１６】上記走査ユニットの概略断面図である。
【図１７】上記走査ユニットにおけるめくりベルト駆動機構の概略側面図である。
【図１８】上記ＴＰＳにおける上記走査ユニットの頁めくり上げ動作を示す走査ユニットの要部の概略断面図である。
【図１９】上記走査ユニットの頁めくり動作モード時における走査ユニットの左頁画像読み取り位置での遷移図である。
【図２０】上記走査ユニットの頁めくり動作モード時における走査ユニットの右頁画像読み取り完了位置での遷移図である。
【図２１】上記走査ユニットの頁めくり動作モード時における走査ユニットの右頁めくり上げ開始位置での遷移図である。
【図２２】上記走査ユニットの頁めくり動作モード時における走査ユニットの右頁めくり上げ途中の遷移図である。
【図２３】上記走査ユニットの頁めくり動作モード時における走査ユニットの右頁めくり上げ終了位置での遷移図である。
【図２４】上記走査ユニットの頁めくり動作モード時における走査ユニットの右頁排出途中の遷移図である。
【図２５】上記ＴＰＳにおけるキャリッジの構成の概略説明図である。
【図２６】上記走査ユニットの読み取り光学系の構成の概略説明図である。
【図２７】上記走査ユニットの読み取り光学系におけるサブ第１ミラーの駆動装置を示す斜視図である。
【図２８】本発明の本原稿画像形成装置の画像形成部の構成を示す概略図である。
【図２９】上記ＴＰＳの原稿読み取り画像を電子写真方式のプリンタに複写出力するシステム構成を示すブロック図である。
【図３０】上記ＴＰＳの原稿読み取り画像を電子写真方式のプリンタに複写出力する装置のデータフローブロックを示すブロック図である。
【図３１】上記ＴＰＳの見開きページ出力・１ＴＯ１複写モードにおける製本原稿モード動作タイミングを示すタイミングチャートである。
【図３２】上記ＴＰＳの独立ページ出力・１ＴＯ１複写モードにおける製本原稿モード動作タイミングを示すタイミングチャートである。
【図３３】上記ＴＰＳの製本原稿端部検知動作を説明するための原稿台上にセットされた製本原稿の平面図である。
【図３４】上記ＴＰＳの主走査方向端部検出動作を示すフローチャートである。
【符号の説明】
１      原稿台
９９      操作パネル
９９−２      製本原稿キー
９９−３      コピーページ設定キー
９９−３ｃ      全ページ設定選択表示用ＬＥＤ
１０１      読み取りセンサ
１０２      ＶＰＵ
１０３      ＩＰＵ
１０４      フレームメモリ
１０６  スキャナモータ
１０７  メイン制御板
２００  走査ユニット
２０８  めくりベルト
２１４  ページセンサ
２２３  めくりベルト駆動ローラ
２２４  めくりローラ
２２５  帯電ローラ
２２７，２２８  ページガイド
２５３  交流電源
ＢＯ  本原稿
【図１】
0003545880.tif 000002
【図２】
0003545880.tif 000003
【図３】
0003545880.tif 000004
【図４】
0003545880.tif 000005
【図５】
0003545880.tif 000006
【図６】
0003545880.tif 000007
【図７】
0003545880.tif 000008
【図８】
0003545880.tif 000009
【図９】
0003545880.tif 000010
【図１０】
0003545880.tif 000011
【図１１】
0003545880.tif 000012
【図１２】
0003545880.tif 000013
【図１３】
0003545880.tif 000014
【図１４】
0003545880.tif 000015
【図１５】
0003545880.tif 000016
【図１６】
0003545880.tif 000017
【図１７】
0003545880.tif 000018
【図１８】
0003545880.tif 000019
【図１９】
0003545880.tif 000020
【図２０】
0003545880.tif 000021
【図２１】
0003545880.tif 000022
【図２２】
0003545880.tif 000023
【図２３】
0003545880.tif 000024
【図２４】
0003545880.tif 000025
【図２５】
0003545880.tif 000026
【図２６】
0003545880.tif 000027
【図２７】
0003545880.tif 000028
【図２８】
0003545880.tif 000029
【図２９】
0003545880.tif 000030
【図３０】
0003545880.tif 000031
【図３１】
0003545880.tif 000032
【図３２】
0003545880.tif 000033
【図３３】
0003545880.tif 000034
【図３４】
0003545880.tif 000035